(57)【要約】【課題】検査対象に応じて、検査シートをユーザレベルで所望の内容で容易に作成する。【解決手段】検査対象を撮影する撮影部１０８と、この撮影部で撮影した検査対象を検査画面に表示する表示部１１０とを有する携帯端末１０２を利用して検査対象を点検、検査する検査システム１００であって、少なくとも検査画面に表示させる検査対象に応じた検査画面構成パーツに関するデータを検査画面構成パーツごとに関数化して入力するデータ入力部１０４と、データ入力部で関数化して入力された検査画面構成パーツに関するデータを、表示部に検査対象の検査シートとして表示するためのデータに変換するデータ変換部１１８と、少なくともデータ入力部から入力された各検査画面構成パーツに関するデータと、検査対象ごとに作成された前記検査シートに関するデータとを記憶する記憶部１１１４と、を備えることを特徴とする。【選択図】図１
2014093011.tif 000002
【特許請求の範囲】
【請求項１】
検査対象を撮影する撮影部と、該撮影部で撮影した検査対象を検査画面に表示する表示部とを有する携帯端末を利用して検査対象を点検、検査する検査システムであって、
少なくとも前記検査画面に表示される前記検査対象に応じた検査画面構成パーツに関するデータを前記検査画面構成パーツごとに関数化して入力するデータ入力部と、
前記データ入力部で関数化して入力された前記検査画面構成パーツに関するデータを、前記表示部に前記検査対象の検査シートとして表示するためのデータに変換するデータ変換部と、
少なくとも前記データ入力部から入力された各検査画面構成パーツに関するデータと、前記検査対象ごとに作成された前記検査シートに関するデータとを記憶する記憶部と、を備えることを特徴とする検査システム。
【請求項２】
前記データ変換部には、前記データ入力部で関数化して入力された前記検査画面構成パーツに関するデータに基づいて、前記検査シートのレイアウトを決めるレイアウト判定部が備わることを特徴とする請求項１に記載の検査システム。
【請求項３】
前記データ入力部は、前記検査画面構成パーツに関するデータとして、少なくとも前記検査対象に関する文字列表示データ、画像表示データ、図面表示データ、文字列入力データ、数値入力データ、画像撮影・埋め込み表示データ、及び手書きサイン機能データの何れかを入力することを特徴とする請求項１又は２に記載の検査システム。
【請求項４】
前記データ入力部は、前記数値入力データを入力する際に、前記検査シートの予め指定した位置、大きさ、桁数による数値入力パーツを表示し、該数値入力パーツが入力される項目ごとに上下限値を設定可能とし、かつ前記データ入力部で前記数値入力データを入力した際に、前記上下限値の範囲から外れた値が入力された場合、又は過去の数値入力データと比較して大きく異なる値が入力された場合に、アラームを発する機能を有することを特徴とする請求項３に記載の検査システム。
【請求項５】
前記データ入力部は、前記撮影部により前記検査対象の前記画像撮影・埋め込み表示データを入力する際に、前記検査シートに記載される必要がある画像データの撮影が終わるまで前記検査対象の検査を継続することを特徴とする請求項３に記載の検査システム。
【請求項６】
前記データ入力部は、前記撮影部により前記検査対象の前記画像撮影・埋め込み表示データを入力する際に、過去に入力した該検査対象の画像撮影・埋め込み表示データと少なくとも輝度及び形状の何れかが異なる場合に、前記撮影部による再度の撮影を行うよう報知する機能を更に有することを特徴とする請求項５に記載の検査システム。
【請求項７】
前記端末装置の前記表示部は、タッチパネルによるデータ入力が可能であり、前記検査シートには、前記携帯端末を用いたユーザが検査を完了した際に前記タッチパネルによる手書きのサインを記入する手書きサイン記入欄が設けられ、該手書きサイン記入欄に記入された前記手書きのサインが前記ユーザの過去の手書きサインと異なる場合に、アラームを発する機能を更に有することを特徴とする請求項１〜６の何れかに記載の検査システム。
【発明の詳細な説明】
【技術分野】
【０００１】
本発明は、製造、メンテナンス、サービス等において、携帯端末を利用する検査システムに関する。
【背景技術】
【０００２】
製品の製造やメンテナンス等の作業現場での点検・検査業務において、業務の効率性を高めるために、現場の検査担当者にカメラ付きの携帯端末を持たせて、検査対象の写真・動画データを撮って携帯端末に入力させて保存させる態様がある。このとき、撮影した検査データ等の管理の容易性と信憑性を確保するために、その検査データがどの位置から、どの方向で撮影されたかの撮影ポイントと関連付けて保存されることが望まれる。
【０００３】
特許文献１では、検査者が撮影ポイントの入力、証拠写真の撮影、証拠写真と撮影ポイントの関連づけを現場で簡易に入力可能とするために、検査対象を画像表示装置に表示してから検査ポイントと検査結果を携帯端末に入力させる検査システムが開示されている。この検査システムでは、撮影ボタンを介して携帯端末が選択された検査ポイントから見た検査対象の現状を被写体とする画像撮影指示を受け付ける。そして、撮影指示に応じて開始した撮影によって、メモリに取得された証拠写真を検査シート、選択された検査対象及び検査ポイントと対応づけて再びメモリに保存している。
【先行技術文献】
【特許文献】
【０００４】
【特許文献１】特開２０１１−００８７６４号公報
【発明の概要】
【発明が解決しようとする課題】
【０００５】
しかしながら、一般的には、検査対象となる適用製品・業務の違いにより、点検・検査内容が異なるので、携帯端末での入力画面を個別に作成する必要があるが、点検・検査対象を変更した場合に、ユーザレベルでの入力画面の変更が困難であった。また、特許文献１に開示された検査システムでは、予め検査対象に応じて準備したテンプレートを選択して検査シートを作成しているが、ユーザレベルでは、テンプレートに合致した検査シートの作成しか出来なかった。特に、製品の製造やメンテナンス、サービス等の現場での点検・検査業務において、検査結果の入力部と製造・メンテナンス、サービス等に関するマニュアルが一体となった検査シートを、検査対象に応じてユーザレベルで適宜作成することの要請があった。
【０００６】
そこで、本発明は、従来の検査システムが有する上記問題点に鑑みてなされたものであり、本発明の目的は、検査対象に応じて、検査シートをユーザレベルで所望の内容で容易に作成することの可能な、新規かつ改良された検査システムを提供することである。
【課題を解決するための手段】
【０００７】
本発明の一態様は、検査対象を撮影する撮影部と、該撮影部で撮影した検査対象を検査画面に表示する表示部とを有する携帯端末を利用して検査対象を点検、検査する検査システムであって、少なくとも前記検査画面に表示させる前記検査対象に応じた検査画面構成パーツに関するデータを前記検査画面構成パーツごとに関数化して入力するデータ入力部と、前記データ入力部で関数化して入力された前記検査画面構成パーツに関するデータを、前記表示部に前記検査対象の検査シートとして表示するためのデータに変換するデータ変換部と、少なくとも前記データ入力部から入力された各検査画面構成パーツに関するデータと、前記検査対象ごとに作成された前記検査シートに関するデータとを記憶する記憶部と、を備えることを特徴とする検査システムに関係する。
【０００８】
本発明の一態様によれば、検査対象に応じた検査画面構成パーツに関するデータを関数化してから検査シートとして表示するので、検査対象ごとの各種態様の検査形態、マニュアルの表示形態に対応して、所望の検査シートをユーザレベルで容易に作成できる。
【０００９】
このとき、本発明の一態様では、前記データ変換部には、前記データ入力部で関数化して入力された前記検査画面構成パーツに関するデータに基づいて、前記検査シートのレイアウトを決めるレイアウト判定部が備わることとしてもよい。
【００１０】
このようにすれば、関数化して入力された検査画面構成パーツに関する各データから、その検査対象の検査シートに好適なレイアウトを判定してから、検査シートにデータ変換できるので、所望の検査シートをユーザレベルで確実に作成できる。
【００１１】
また、本発明の一態様では、前記データ入力部は、前記検査画面構成パーツに関するデータとして、少なくとも前記検査対象に関する文字列表示データ、画像表示データ、図面表示データ、文字列入力データ、数値入力データ、画像撮影・埋め込み表示データ、及び手書きサイン機能データの何れかを入力することとしてもよい。
【００１２】
このように、検査画面構成パーツに関するデータとして検査対象に関する具体的なデータを入力することにより、検査対象ごとに異なる検査シートを容易に作成できる。
【００１３】
また、本発明の一態様では、前記データ入力部は、前記数値入力データを入力する際に、前記検査シートの予め指定した位置、大きさ、桁数による数値入力パーツを表示し、該数値入力パーツが入力される項目ごとに上下限値を設定可能とし、かつ前記データ入力部で前記数値入力データを入力した際に、前記上下限値の範囲から外れた値が入力された場合、又は過去の数値入力データと比較して大きく異なる値が入力された場合に、アラームを発する機能を有することとしてもよい。
【００１４】
このようにすれば、検査結果が所望の値から外れている場合や、検査結果の入力ミスが発生した場合にアラームで報知することにより、検査結果の善し悪しの判断が容易に分かり、かつ、データの入力ミスを未然に防げる。
【００１５】
また、本発明の一態様では、前記データ入力部は、前記撮影部により前記検査対象の前記画像撮影・埋め込み表示データを入力する際に、前記検査シートに記載される必要がある画像データの撮影が終わるまで前記検査対象の検査を継続することとしてもよい。
【００１６】
このようにすれば、検査対象の検査漏れを未然に防ぐことができる。
【００１７】
また、本発明の一態様では、前記データ入力部は、前記撮影部により前記検査対象の前記画像撮影・埋め込み表示データを入力する際に、過去に入力した該検査対象の画像撮影・埋め込み表示データと少なくとも輝度及び形状の何れかが異なる場合に、前記撮影部による再度の撮影を行うよう報知する機能を更に有することとしてもよい。
【００１８】
このようにすれば、検査対象を誤って検査することやデータの入力ミスを未然に防ぐことができる。
【００１９】
また、本発明の一態様では、前記端末装置の前記表示部は、タッチパネルによるデータ入力が可能であり、前記検査シートには、前記携帯端末を用いたユーザが検査を完了した際に前記タッチパネルによる手書きのサインを記入する手書きサイン記入欄が設けられ、該手書きサイン記入欄に記入された前記手書きのサインが前記ユーザの過去の手書きサインと異なる場合に、アラームを発する機能を更に有することとしてもよい。
【００２０】
このようにすれば、検査するユーザと異なる他人による記入者のなりすましを未然に防ぐことができる。
【発明の効果】
【００２１】
以上説明したように本発明によれば、検査対象に応じた各種形態の検査画面構成パーツを選択して、ユーザレベルで所望の内容の検査シートを容易に作成することができる。
【図面の簡単な説明】
【００２２】
【図１】本発明の検査システムの第1の実施形態で作成される検査シートの一例を示す図である。
【図２】同実施形態の検査システムの概略構成を示す全体説明図である。
【図３】同実施形態の検査システムの構成を示すブロック図である。
【図４】同実施形態の検査システムにおける検査シート作成手順の概略を示すフローチャートである。
【図５】同実施形態の検査システムにおけるデータ入力の一例を示す図である。
【図６】同実施形態の検査システムにおける検査手順の概略を示すフローチャートである。
【発明を実施するための形態】
【００２３】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２４】
まず、本発明の第１の実施形態の検査システムにより携帯端末の表示部に作成される検査シートについて、図面を使用しながら説明する。図１は、本実施形態の検査システムで作成される検査シートの一例を示す図である。
【００２５】
本実施形態では、携帯端末の表示部で表示される検査シート１０を作成するために、検査画面構成パーツの表示内容、入力内容、入力文字数、画面上の表示位置、大きさを関数で記載し、これら検査画面構成パーツを携帯端末に表示できる手段を有することを特徴とする。本実施形態では、検査画面構成パーツとして、検査対象に関する文字列表示データ、画像表示データ、図面表示データ、文字列入力データ、数値入力データ、画像撮影・埋め込み表示データ、及び手書きサイン機能データがある。
【００２６】
文字列表示データは、検査対象となる製品を表し、検査シート１０の予め指定した位置、大きさ、フォントで文字列を表示する。図１に示す作成例では、「羽根車」が文字列表示データ１１に該当する。
【００２７】
画像表示データは、検査対象となる製品の写真等の画像データであり、検査シート１０の予め指定した位置、大きさで画像を表示する。図１に示す作成例では、羽根車の表面からの画像表示データ１２ａと羽根車の裏面からの画像表示データ１２ｂが画像表示データに該当する。
【００２８】
図面表示データは、検査対象となる製品の設計図等の図面データであり、検査シート１０の予め指定した位置、大きさで図面を表示する。図１に示す作成例では、図面表示データは、検査画面構成パーツとして含まれていない。
【００２９】
文字列入力データは、検査シートでユーザが検査結果を記入するための記入欄データであり、検査シート１０の予め指定した位置、大きさ、文字数で文字列入力パーツを表示する。図１に示す作成例では、ユーザが検査結果を記入するための記入欄１３ａやコメント記入欄１３ｂが文字列入力データに該当する。
【００３０】
数値入力データは、検査対象となる製品の数値データ等であり、検査シート１０の予め指定した位置、大きさ、桁数で数値入力パーツを表示する。図１に示す作成例では、ユーザが検査結果を記入するための数値記入欄１４が数値入力データに該当する。
【００３１】
画像撮影・埋め込み表示データは、検査対象を検査した際に撮影した写真等の画僧データであり、検査シート１０内に予め指定した大きさで埋め込まれる。図１に示す作成例では、ＳＰＥＣ打刻画像１５が画像撮影・埋め込み表示データに該当する。すなわち、検査シート１０では、撮影すべき画像が画像撮影パーツとして配置される。
【００３２】
手書きサイン機能データは、検査したユーザが検査対象を検査した旨をサインするための手書きサイン記入欄となる入力パーツである。図１に示す作成例では、検査シート１０の画面上に設けられている手書きサイン記入欄となる作業者確認フィールド１７ａ、作業者フィールド１７ｂが手書きサイン機能データに該当する。本実施形態では、例えば、手書きサイン記入欄となる作業者確認フィールド１７ａをタップすると、手書きパーツが拡大表示され、指又はタッチペンで手書きサインを記入させる記入欄１８が現れる。このように、検査シート１０に手書きサインを記入させる構成パーツを設けることにより、筆跡によるチェックをして、検査担当者以外の者が検査担当者に成り済まして検査業務を行うことを防止できる。
【００３３】
本実施形態では、各検査画面構成パーツのデータは、データ入力部１０４（図３を参照）で関数化して入力されることを特徴とする。すなわち、図１に示すように、それぞれの検査画面構成パーツのデータをデータ入力部１０４で入力する際に、関数の形態で記載してデータ入力をする。なお、本実施形態では、検査画面構成パーツとして、検査画面構成パーツとして、検査対象に関する文字列表示データ、画像表示データ、図面表示データ、文字列入力データ、数値入力データ、画像撮影・埋め込み表示データ、及び手書きサイン機能データが挙げられているが、本実施形態は、一例であり、他の検査画面構成パーツを含む構成としても良い。
【００３４】
次に、本発明の第１の実施形態の検査システムについて、図面を使用しながら説明する。図２は、本発明の検査システムの第1の実施形態の概略構成を示す全体説明図であり、図３は、同実施形態の検査システムの構成を示すブロック図である。
【００３５】
本実施形態の検査システム１００は、図２に示すように、ユーザがデータを表示・入力できる携帯端末１０２と、ユーザがデータを入力・操作するためのデータ入力部となるＰＣ１０４と、ＰＣ１０４と双方向通信が可能なサーバ１０６とを備えている。
【００３６】
携帯端末１０２は、いわゆるスマートフォンタイプの端末装置であり、基本となる電話機能の他に、高速のデータ通信機能、動画伝送機能、インターネットを介してホームページを閲覧するブラウザ機能などを備えるものである。すなわち、携帯端末１０２は、図３に示すように、少なくとも被写体を撮影するカメラ（撮影部）１０８と、液晶表示素子からなる表示部１１０とを備える。撮影部１０８は、ＣＣＤ等の撮像素子であり、本実施形態では、点検・検査業務における検査対象を撮影するために使用される。表示部１１０は、タッチパネル形式の液晶表示素子からなり、本実施形態では、撮影部１０８で撮影した検査対象を検査画面に表示するために使用され、また、文字や記号などの入力するための入力部としても機能する。なお、本実施形態の検査システム１００では、携帯端末１０２は、スマートフォンであるが、ＰＣ機能が備わった携帯電話やタブレットタイプのＰＣ等の他の携帯端末装置でも適用可能である。
【００３７】
ＰＣ１０４とサーバ１０６は、ユーザが勤務している場所すなわち所属する企業や工場、研究所等に設置されているものである。ＰＣ１０４は、マウス及びキーボードを操作してデータ入力を行うデータ入力部として機能し、不図示のＣＰＵ、内部メモリ、ＨＤＤ、通信インターフェース等を備える。ＰＣ１０４は、ＨＤＤに記憶されたプログラムを実行することにより、サーバ１０６と双方向通信を行って各種の情報を授受し、それらの情報を表示画面に表示する。
【００３８】
本実施形態では、ＰＣ１０４は、検査システムで作成される検査シートの検査画面構成パーツに関するデータとして、図３に示すように、少なくとも検査対象に関する文字列表示データ、画像表示データ、図面表示データ、文字列入力データ、数値入力データ、画像撮影・埋め込み表示データ、及び手書きサイン機能データの何れかを入力し、手書きサイン機能を付与するデータ入力部として機能する。また、本実施形態では、データ入力部１０４は、少なくとも検査画面に表示させる検査対象に応じた検査画面構成パーツに関するデータを検査画面構成パーツごとに関数化して入力することを特徴とする。なお、検査画面構成パーツに関するデータの詳細については、後述する。
【００３９】
サーバ１０６は、ＣＰＵ１１２、内部メモリ１１４ａ、ＨＤＤ（ハードディスク装置）１１４ｂからなる記憶部１１４、通信インターフェース部１１６、及びデータ変換部１１８を備える。サーバ１０６は、通信インターフェース部１１６を介して、インターネット経由で携帯端末１０２と双方向通信が可能であり、またＰＣ１０４とも双方向通信が可能である。サーバ１０６のＨＤＤ１１４ｂには、ＰＣ１０４と協働して点検・検査業務を実施するにあたって必要な情報を収集し、蓄積し、検索するためのプログラムが記憶されている。本実施形態では、特に、記憶部１１４のＨＤＤ１１４ｂには、少なくともデータ入力部１０４から入力された各検査画面構成パーツに関するデータと、検査対象ごとに作成された検査シートに関するデータとを記憶している。
【００４０】
データ変換部１１８は、データ入力部１０４で関数化して入力された検査画面構成パーツに関するデータを、携帯端末１０２の表示部１１０に検査対象の検査シートとして表示するためのデータに変換する機能を有する。本実施形態では、データ変換部１１８には、データ入力部１０４で関数化して入力された検査画面構成パーツに関するデータに基づいて、携帯端末１０２の表示部１１０に表示する検査シートのレイアウトを決めるレイアウト判定部１２０が含まれている。レイアウト判定部１２０は、関数化して入力された検査画面構成パーツに関する各データから、その検査対象の検査シートに好適なレイアウトを判定する機能を有する。
【００４１】
本実施形態の検査システム１００を上述した構成とすることにより、検査対象に応じた各検査画面構成パーツに関するデータを関数化して入力してから、レイアウト判定部１２０でその検査対象に好適な検査シートのレイアウトを決めて、表示部１１０に出力できる。すなわち、サーバ１０６の記憶部１１４のＨＤＤ１１４ｂに直接入力した関数化した各検査画面構成パーツのデータをデータ変換部１１８で変換してから、携帯端末１０２の表示部１１０に検査シートとして出力して、検査画面の表示レイアウトを確認できる。このため、検査対象ごとの各種態様の検査形態、マニュアルの表示形態に対応して、複雑な検査シートをユーザレベルで容易に作成することができるようになる。
【００４２】
次に、本実施形態の検査システムにおいて作成される検査シートに関して、図面を使用しながら説明する。図５は、本実施形態の検査システムにおける検査シート作成手順の概略を示すフローチャートであり、図６は、同実施形態の検査システムにおけるデータ入力の一例を示す図である。
【００４３】
まず、データ入力部１０４では、検査画面構成パーツとして、検査対象となる製品を表す文字列表示データを入力する（工程Ｓ１０）。
【００４４】
次に、データ入力部１０４では、検査画面構成パーツとして、検査対象となる製品の写真等の画像表示データを入力する（工程Ｓ２０）。
【００４５】
次に、データ入力部１０４では、検査画面構成パーツとして、検査対象となる製品の設計図等の図面表示データを入力する（工程Ｓ３０）。
【００４６】
次に、データ入力部１０４では、検査画面構成パーツとして、検査対象となる製品の検査マニュアル等の文字列入力データを入力する（工程Ｓ４０）。
【００４７】
その後、データ入力部１０４では、検査画面構成パーツとして、検査対象となる製品の数値データ等の数値入力データを入力する（工程Ｓ５０）。また、本実施形態では、データ入力部１０４は、数値入力パーツを入力する際に、数値入力パーツが入力される項目ごとに上下限値を設定する。
【００４８】
その後、データ入力部１０４では、検査画面構成パーツとして、検査対象を検査した際に撮影した写真等の画僧データである画像撮影・埋め込み表示データを入力する（工程Ｓ６０）。このとき、検査シート１０の画面上に設けられている画像撮影パーツをタップすると、携帯端末１０２のカメラ（撮影部）１０８が起動して、画面上の操作ボタンを押すと、撮影した画像が検査シート１０内に予め指定した大きさで埋め込まれる（図１の符号１５を参照）。なお、データ入力部１０４は、撮影部１０８により検査対象の画像撮影・埋め込み表示データを入力する際に、過去に入力した検査対象の画像撮影・埋め込み表示データと少なくとも輝度及び形状の何れかが異なっていないか否かの確認をする。
【００４９】
その後、データ入力部１０４では、検査画面構成パーツとして、検査したユーザが検査対象を検査した旨をサインするための手書きサイン機能を付与する（工程Ｓ７０）。
【００５０】
以上の工程Ｓ１０〜Ｓ７０が完了すると、検査シート１０のレイアウトが決定される（工程Ｓ８０）。このようにして、本実施形態の検査システムでは、検査対象ごとの各種態様の検査形態、マニュアルの表示形態に対応して、検査結果の入力部と製造・メンテナンス・サービス等に関するマニュアルが一体となった検査シートをユーザレベルで容易に作成できるようになる。
【００５１】
なお、検査シート１０を作成する際に、データ入力部１０４において、図５に示すように、検査対象に関する各検査画面構成パーツを、Excel等の表計算ソフトを用いて各検査画面構成パーツを関数化したデータを作成して入力する。
【００５２】
次に、本実施形態の検査システムにおける検査手順について、図面を使用しながら説明する。図６は、本実施形態の検査システムにおける検査手順の概略を示すフローチャートである。
【００５３】
まず、本実施形態の検査システム１００で作成した検査シート１０を携帯端末１０２の表示部１１０に表示する（工程Ｓ１００）。表示部１１０に検査シート１０が表示されたら、検査担当者（ユーザ）は、検査結果の検査シートへの入力を開始する（工程Ｓ１０２）。
【００５４】
次に、データ入力部１０４で入力された数値入力データが上下限値の範囲内にあるか否かの判定が行われる（工程Ｓ１０４）。数値入力データが上下限値の範囲内にあると判定された場合には、次に、数値入力データが過去の数値入力データと比較して近い値か否かの判定が行われる（工程Ｓ１０６）。
【００５５】
本実施形態では、工程Ｓ１０４で数値入力データが上下限値の範囲外と判定された場合や、工程Ｓ１０６で数値入力データが過去の数値入力データと大きく異なる値と判定された場合には、アラームで通知される。このように、検査結果が所望の値から外れている場合や、検査結果の入力ミスが発生した場合にアラームで報知することにより、検査結果の善し悪しの判断が容易に分かり、かつデータの入力ミスを未然に防げるようになる。
【００５６】
数値入力データの判定工程が終わると、次に撮影部１０８による検査対象の撮影が開始される（工程Ｓ１０８）。その後、検査対象の撮影が完了したか否かの判定が行われ（工程Ｓ１１０）、検査対象の撮影が完了しないと、その検査シートの検査工程を終了できないようにしている。すなわち、本実施形態では、検査対象の検査漏れを防止するために、データ入力部が撮影部１０８により検査対象の画像撮影・埋め込み表示データを入力する際に、検査シート１０に記載される必要がある画像データの撮影が終わるまで検査対象の検査が継続される。
【００５７】
次に、撮影部１０８により検査対象の画像撮影・埋め込み表示データが過去に入力した画像撮影・埋め込み表示データと少なくとも輝度及び形状と一致するか否かの判定を行う（工程Ｓ１１２）。過去に入力した画像撮影・埋め込み表示データと少なくとも輝度及び形状の何れかが異なる場合には、撮影部１０８による再度の撮影を行うために、前工程に戻る。本実施形態の検査システム１００は、検査対象を誤って検査することやデータの入力ミスを未然に防ぐために、過去のデータと輝度や形状が異なって再撮影を行う必要がある場合に、その旨を報知する機能を更に有している。
【００５８】
検査対象の検査業務が終わったら、検査シート１０の手書きサイン記入欄となる入力パーツ（作業者確認フィールド、作業者フィールド）をタップしてから、所定欄に手書きサインを記入する（工程Ｓ１１４）。このとき、検査するユーザと異なる他人による記入者のなりすましを防止するために、手書きサイン記入欄に記入された手書きサインがユーザの過去の手書きサインと一致するか否かの判定が行われる（工程Ｓ１１６）。工程Ｓ１１６で手書きサインが過去のものと異なる場合には、アラームが発せられる。
【００５９】
以上説明したように、本実施形態の検査システム１００では、検査対象に応じた各検査画面構成パーツに関するデータを関数化して入力する。そして、レイアウト判定部１２０で各検査画面構成パーツに関する関数化されたデータに基づいて、その検査対象に好適な検査シートのレイアウトを決めてから、携帯端末１００の表示部１１０に検査項目とマニュアルが一体となった好適な検査シートを出力できる。すなわち、検査対象ごとの各種態様の検査形態、マニュアルの表示形態に対応して、所望のレイアウトの検査シートをユーザレベルで容易に作成することができる。
【００６０】
なお、上記のように本実施形態について詳細に説明したが、本発明の新規事項および効果から実体的に逸脱しない多くの変形が可能であることは、当業者には、容易に理解できるであろう。従って、このような変形例は、全て本発明の範囲に含まれるものとする。
【００６１】
例えば、明細書または図面において、少なくとも一度、より広義または同義な異なる用語と共に記載された用語は、明細書または図面のいかなる箇所においても、その異なる用語に置き換えることができる。また、検査システムの構成、動作も本実施形態で説明したものに限定されず、種々の変形実施が可能である。
【符号の説明】
【００６２】
１０            検査シート
１７ａ、１７ｂ  手書きサイン記入欄
１００          検査システム
１０２          携帯端末
１０４          データ入力部（ＰＣ）
１０６          サーバ
１０８          撮影部
１１０          表示部
１１２          ＣＰＵ
１１４          記憶部
１１４ａ        内部メモリ
１１４ｂ        ＨＤＤ
１１６          通信インターフェース部
１１８          データ変換部
１２０          レイアウト判定部
【図１】
2014093011.tif 000003
【図２】
2014093011.tif 000004
【図３】
2014093011.tif 000005
【図４】
2014093011.tif 000006
【図５】
2014093011.tif 000007
【図６】
2014093011.tif 000008